(57)【要約】【課題】対向する２つの対向装置間で送受信する波長多重信号の波長数のカウントの異常を検出可能な波長分割多重装置を提供する。【解決手段】対向装置からの波長多重信号の波長数を受信波長数カウント部８でカウントした受信波長数と、対向装置からの監視光信号から監視光受信部７で抽出した該波長多重信号の送信波長数とを波長数情報比較部９で比較し、両者が一致している場合、該送信波長数を最新の送信波長数として受信側メモリに更新保存し、当該送信波長数により受信光アンプ５の波長多重信号の出力レベルを制御し、該波長多重信号の送信元の対向装置にその旨のＯＫフラグを返送する。一方、両者が不一致の場合、当該送信波長数ではなく、受信側メモリに更新保存されている最新の送信波長数により受信光アンプ５の波長多重信号の出力レベルを制御し、該波長多重信号の送信元の対向装置にその旨を示すＮＧフラグを返送する。【選択図】        図１
2010220149.tif 000002
【特許請求の範囲】
【請求項１】
受信した波長多重信号の主信号の波長数を受信波長数としてカウントする受信波長数カウント手段と、
前記受信した波長多重信号に多重されている監視光信号から送信波長数の情報を抽出する監視光受信手段と、
前記送信波長数と前記受信波長数とを比較する波長数情報比較手段と
を有することを特徴とする波長分割多重装置。
【請求項２】
前記波長数情報比較手段における比較結果が不一致であった場合、
前記送信波長数と前記受信波長数が一致した最新の波長数に基づいて、前記受信した波長多重信号の出力レベルを制御することを特徴とする請求項１に記載の波長分割多重装置。
【請求項３】
前記波長数情報比較手段における比較結果が不一致であった場合、
前記波長多重信号の送信元の装置へ、前記送信波長数と前記受信波長数とが不一致である旨を示すフラグを送信することを特徴とする請求項１又は２に記載の波長分割多重装置。
【請求項４】
前記波長数情報比較手段における比較結果が不一致であった場合、
送信元の前記対向装置側の前記送信波長数と自装置側の前記受信波長数とが不一致である旨を示す警報をユーザに対して発出することを特徴とする請求項２ないし４のいずれかに記載の波長分割多重装置。
【請求項５】
受信した波長多重信号に多重されている監視光から、自装置が送信した送信波長数と受信装置が受信した受信波長数が不一致であることを示すフラグを抽出する監視光受信手段と、
前記監視光受信手段が前記フラグを抽出した際、前記フラグを抽出する直前の送信波長数に基づいて、送信する波長多重信号の出力レベルを制御することを特徴とする波長分割多重装置。
【請求項６】
前記監視光受信手段が前記フラグを抽出した際、自装置が送信した送信波長数と受信装置が受信した受信波長数が不一致である旨を示す警報をユーザに対して発出することを特徴とする請求項５に記載の波長分割多重装置。
【請求項７】
前記監視光受信手段は、受信した波長多重信号に多重されている監視光から、自装置が送信した送信波長数と受信装置が受信した受信波長数が不一致であることを示すフラグを抽出し、
前記監視光受信手段が前記フラグを抽出した際、前記フラグを抽出する直前の送信波長数に基づいて、送信する波長多重信号の出力レベルを制御することを特徴とする請求項３又は４に記載の波長分割多重装置。
【請求項８】
前記監視光受信手段が前記フラグを抽出した際、自装置が送信した送信波長数と受信装置が受信した受信波長数が不一致である旨を示す警報をユーザに対して発出することを特徴とする請求項７に記載の波長分割多重装置。
【請求項９】
前記波長多重信号の送信先である第１の前記対向装置から前記ＮＧフラグを受信した際に、他の方路に対して波長多重信号を送信した送信先である第２の対向装置からも前記ＮＧフラグを受信したか否かに基づいて、自装置側の前記送信波長数又は前記第１の対向装置側の前記受信波長数のいずれが異常であるかを判定することを特徴とする請求項７または８のいずれかに記載の波長分割多重装置。
【請求項１０】
前記波長数情報比較手段における比較結果として、前記波長多重信号の送信元の前記対向装置からの前記送信波長数と前記受信波長数とが一致している場合、前記送信波長数を最新の送信波長数として受信側メモリに更新して保存するとともに、当該送信波長数に基づいて受信した前記波長多重信号の出力レベルを制御することを特徴とする請求項１ないし９に記載の波長分割多重装置。
【請求項１１】
それぞれが請求項１乃至９のいずれかに記載の波長分割多重装置である装置間で波長多重信号の伝送を行う波長分割多重伝送システム。
【請求項１２】
受信した波長多重信号の主信号の波長数を受信波長数としてカウントするとともに、前記受信した波長多重信号に多重されている監視光信号から送信波長数の情報を抽出し、前記受信波長数と前記送信波長数との比較をし、この比較の結果を前記受信した波長多重信号の制御に利用することを特徴とする波長多重信号制御方法。
【請求項１３】
前記比較の結果、前記受信波長数と前記送信波長数とが不一致であった場合、
前記送信波長数と前記受信波長数が一致した最新の波長数に基づいて、前記受信した波長多重信号の出力レベルを制御することを特徴とする請求項１２に記載の波長多重信号制御方法。
【請求項１４】
前記比較の結果、前記受信波長数と前記送信波長数とが不一致であった場合、
前記波長多重信号の送信元の装置へ、前記送信波長数と前記受信波長数とが不一致である旨を示すフラグを送信することを特徴とする請求項１２又は１３に記載の波長多重信号制御方法。
【請求項１５】
前記比較の結果、前記受信波長数と前記送信波長数とが不一致であった場合、
送信元の前記対向装置側の前記送信波長数と自装置側の前記受信波長数とが不一致である旨を示す警報をユーザに対して発出することを特徴とする請求項１３ないし１５のいずれかに記載の波長多重信号制御方法。
【請求項１６】
受信した波長多重信号に多重されている監視光から、自装置が送信した送信波長数と受信装置が受信した受信波長数が不一致であることを示すフラグを抽出し、
前記フラグを抽出した際、前記フラグを抽出する直前の送信波長数に基づいて、送信する波長多重信号の出力レベルを制御することを特徴とする波長多重信号制御方法。
【請求項１７】
前記フラグを抽出した際、自装置が送信した送信波長数と受信装置が受信した受信波長数が不一致である旨を示す警報をユーザに対して発出することを特徴とする請求項１６に記載の波長多重信号制御方法。
【請求項１８】
受信した波長多重信号に多重されている監視光から、自装置が送信した送信波長数と受信装置が受信した受信波長数が不一致であることを示すフラグを抽出し、
前記フラグを抽出した際、前記フラグを抽出する直前の送信波長数に基づいて、送信する波長多重信号の出力レベルを制御することを特徴とする請求項１４又は１５に記載の波長多重信号制御方法。
【請求項１９】
前記フラグを抽出した際、自装置が送信した送信波長数と受信装置が受信した受信波長数が不一致である旨を示す警報をユーザに対して発出することを特徴とする請求項１８に記載の波長多重信号制御方法。
【請求項２０】
前記波長多重信号の送信先である第１の前記対向装置から前記ＮＧフラグを受信した際に、他の方路に対して波長多重信号を送信した送信先である第２の対向装置からも前記ＮＧフラグを受信したか否かに基づいて、自装置側の前記送信波長数又は前記第１の対向装置側の前記受信波長数のいずれが異常であるかを判定することを特徴とする請求項１８または１９のいずれかに記載の波長多重信号制御方法。
【発明の詳細な説明】
【技術分野】
【０００１】
本発明は、波長分割多重装置、波長分割多重伝送システムおよび波長多重信号制御方法に関する。
【背景技術】
【０００２】
ＷＤＭ(Wavelength  Division  Multiplex：波長分割多重)伝送システムにおいては、特許文献１の特開２００４−１４７１２２号公報「光波長多重ネットワーク及びそのリモートノード」にも記載されているように、多重している波長数に応じて、光アンプの出力レベルを適切に制御する必要があるため、多重波長数のカウントが重要な機能となっている。
【０００３】
一般的な波長数カウントおよび波長数の転送システムは図３に示す通りである。図３は、本願発明の関連技術である波長分割多重伝送システムにおける波長数カウントおよび波長数転送の仕組みを説明するための説明図である。図３は、対向する２つの波長分割多重装置として、上流側に位置する対向装置つまり上流ノード１０Ａと下流側に位置する対向装置つまり下流ノード２０Ａとが、伝送路３０によって接続されている波長分割多重伝送システム（ＷＤＭ伝送システム）のシステム構成を示している。
【０００４】
図３に示すように、上流側に位置する対向装置つまり上流ノード１０Ａは、送信光アンプ１１、合波部１２、監視光送信部１３、波長数カウント部１４を少なくとも備え、下流側に位置する対向装置つまり下流ノード２０Ａは、受信光アンプ２５、分波部２６、監視光受信部２７を少なくとも備え、上流ノード１０Ａと下流ノード２０Ａとは伝送路３０によって接続されている。図３において、太線矢印は波長多重信号を示し、点線矢印は監視光信号を示し、二重線矢印は波長数情報を示している。
【０００５】
上流ノード１０Ａの送信側では、波長数カウント部１４は、送信光アンプ１１から出力される波長多重信号（主信号）の波長数をカウントし、カウントした波長数情報を送信光アンプ１１に送信して、送信光アンプ１１の波長多重信号の出力レベル等の制御に使用するとともに、波長数情報を監視光送信部１３に転送する。監視光送信部１３では、受け取った波長数情報を監視光信号に挿入する。合波部１２は、送信光アンプ１１からの主信号と監視光送信部１３からの監視光信号とを合波して、主信号および監視光信号とを合波した波長多重信号を伝送路３０を介して下流ノード２０Ａに向かって送信する。
【０００６】
下流ノード２０Ａでは、分波部２６は波長多重信号を主信号と監視光信号とに分波し、監視光信号を監視光受信部２７に転送する。監視光受信部２７は、受け取った監視光信号の中から波長数情報を抽出して、受信光アンプ２５に転送する。受信光アンプ２５は、監視光受信部２７からの波長数情報を使用し、波長多重信号の出力レベルの制御等を行う。
【先行技術文献】
【特許文献】
【０００７】
【特許文献１】特開２００４−１４７１２２号公報（第７−９頁）
【発明の概要】
【発明が解決しようとする課題】
【０００８】
しかしながら、図３に示すような関連技術の波長分割多重伝送システム（ＷＤＭ伝送システム）には、上流ノード１０Ａの波長数カウント部１４が故障したりして、カウントした波長数が異常になった場合、誤った波長数情報が下流ノード２０Ａへ転送され、受信光アンプ２５の誤動作を引き起こす可能性があるという解決するべき課題があった。
【０００９】
本発明の目的は、かかる課題に鑑みてなされたものであり、波長数カウント部の故障による光アンプの誤制御という課題を解決する波長分割多重装置、波長分割多重伝送システムおよび波長多重信号制御方法を提供することである。
【課題を解決するための手段】
【００１０】
前述の課題を解決するため、本発明による波長分割多重装置、波長分割多重伝送システムおよび波長多重信号制御方法は、次のような特徴的な構成を採用している。下記（１）、（５）、（１１）、（１２）及び（１６）なる番号は請求項の項番号にそれぞれ対応している。
【００１１】
（１）受信した波長多重信号の主信号の波長数を受信波長数としてカウントする受信波長数カウント手段と、
前記受信した波長多重信号に多重されている監視光信号から送信波長数の情報を抽出する監視光受信手段と、
前記送信波長数と前記受信波長数とを比較する波長数情報比較手段と
を有する波長分割多重装置。
（５）受信した波長多重信号に多重されている監視光から、自装置が送信した送信波長数と受信装置が受信した受信波長数が不一致であることを示すフラグを抽出する監視光受信手段と、
前記監視光受信手段が前記フラグを抽出した際、前記フラグを抽出する直前の送信波長数に基づいて、送信する波長多重信号の出力レベルを制御する波長分割多重装置。
（１１）それぞれが前記（１）または（９）のいずれかに記載の波長分割多重装置である装置間で波長多重信号の伝送を行う波長分割多重伝送システム。
（１２）受信した波長多重信号の主信号の波長数を受信波長数としてカウントするとともに、前記受信した波長多重信号に多重されている監視光信号から送信波長数の情報を抽出し、前記受信波長数と前記送信波長数との比較をし、この比較の結果を前記受信した波長多重信号の制御に利用する波長多重信号制御方法。
（１６）受信した波長多重信号に多重されている監視光から、自装置が送信した送信波長数と受信装置が受信した受信波長数が不一致であることを示すフラグを抽出し、
前記フラグを抽出した際、前記フラグを抽出する直前の送信波長数に基づいて、送信する波長多重信号の出力レベルを制御する波長多重信号制御方法。
【発明の効果】
【００１２】
本発明の波長分割多重装置、波長分割多重伝送システムおよび波長多重信号制御方法によれば、以下のような効果を奏することができる。
【００１３】
対向する複数の波長分割多重装置において、上流ノードからの送信波長数情報と下流ノードで検知した受信波長数情報とを比較して、上流ノードまたは下流ノードのカウント手段に異常が発生していることを容易に検出することを可能としている。
【図面の簡単な説明】
【００１４】
【図１】本発明による波長分割多重装置の装置構成の一例を示す装置構成図である。
【図２】本発明による波長分割多重伝送システムにおける波長数カウントおよび波長数転送の仕組みを説明するための説明図である。
【図３】関連技術の波長分割多重伝送システムにおける波長数カウントおよび波長数転送の仕組みを説明するための説明図である。
【発明を実施するための形態】
【００１５】
以下、本発明による波長分割多重装置、波長分割多重伝送システムおよび波長多重信号制御方法の好適な実施例について添付図を参照して説明する。
【００１６】
（本発明の特徴）
本発明の実施形態の説明に先立って、本発明の特徴についてまず説明する。本発明は、ＷＤＭ(Wavelength  Division  Multiplex：波長分割多重)伝送システムにおいて、波長分割多重伝送システムを構成する各波長分割多重装置は、対向装置から転送されてくる波長数情報と、自装置内でカウントした波長数情報とを比較することができる。また不一致だった場合、保存しておいた直近（最新）の波長数情報を用いて、波長多重信号の出力レベル等の制御を行うことを可能としている。
【００１７】
つまり、本発明は、上流側と下流側とに対向配置される２台の波長分割多重装置について、下流ノードにも波長数検出機能を設け、上流ノードから送信されてくる波長数情報（送信波長数情報）と、下流ノード自身で受信波長多重信号から検出した波長数情報（受信波長数情報）とを比較することができる。これにより、下流ノード又は上流ノードにおける波長数カウント部の異常を検知することができる。そして比較結果が一致したとき、一致している新たな波長数情報に基づいて、光アンプの出力レベル等の制御を行う。また、不一致の場合は、下流ノードから上流ノードに対して波長数不一致警報を通知するとともに、上流ノードと下流ノードは直近（最新）の波長数、つまり直前の波長数情報に基づいて光アンプを制御することを特徴としている。これにより、上流ノード又は下流ノードにおける送信光アンプ又は受信光アンプの誤制御を防止することができる。
【００１８】
（実施形態の構成例）
図１は、本発明による波長分割多重装置の装置構成の一例を示す装置構成図であり、波長数情報に関連する部位を抽出して示しており、波長数カウントの異常の検出および異常検出時の光アンプの正常動作保護に関連する部位の構成例を示している。図１に示す波長分割多重装置１００は、図の上側に受信側の回路を、図の下側に送信側の回路をそれぞれ配置して示している。
【００１９】
図１に示すように、波長分割多重装置１００の送信側は、送信光アンプ１、合波部２、監視光送信部３、送信波長数カウント部４を少なくとも備え、波長分割多重装置１００の受信側は、受信光アンプ５、分波部６、監視光受信部７、受信波長数カウント部８、波長数情報比較部９を少なくとも備えている。図１において、太線矢印は波長多重信号を、点線矢印は監視光信号を、二重線矢印は波長数情報を、破線矢印はフラグ（情報）を示している。
【００２０】
つまり、波長分割多重装置１００の送信側において、送信光アンプ１は、対向する波長分割多重装置すなわち対向ノードへ送出するために波長多重信号（主信号）を増幅して出力する回路であり、合波部２は、送信光アンプ１からの主信号と監視光送信部３からの監視光信号とを合波し、主信号および監視光信号でなる波長多重信号を対向する波長分割多重装置すなわち対向ノードに向かう伝送路へ出力する回路である。また、監視光送信部３は、対向する波長分割多重装置すなわち対向ノードへ送信するために、送信波長数に関する波長数情報と送信側の波長数情報比較部９からのフラグとを少なくとも挿入した監視光信号を生成する回路である。送信光アンプ１は、対向する波長分割多重装置すなわち対向ノードへ送信する波長多重信号（主信号）を出力し、送信波長数カウント部４は、その波長多重信号（主信号）の波長数をカウントする回路である。
【００２１】
ここで、送信光アンプ１から出力される波長多重信号（主信号）は、合波部２と送信波長数カウント部４とに入力される。送信波長数カウント部４から出力される送信波長数情報は、送信光アンプ１と監視光送信部３とに入力される。監視光送信部３から出力される監視光信号は合波部２に入力される。合波部２は、送信光アンプ１の出力の波長多重信号（主信号）と監視光送信部３の出力の監視光信号とを合波し、主信号と監視光信号とでなる波長多重信号を、対向ノードに向かう伝送路へ出力する。送信光アンプ１の出力レベル等は、送信波長数カウント部４から出力されてくる送信波長数情報のみならず、受信側の監視光受信部７から出力されてくるフラグによって制御される。
【００２２】
一方、波長分割多重装置１００の受信側において、分波部６は、対向する波長分割多重装置すなわち対向ノードから受信した波長多重信号（主信号＋監視光信号）を入力し、主信号（波長多重信号）および監視光信号に分波して、受信光アンプ５および監視光受信部７にそれぞれ出力する回路である。受信光アンプ５は、対向する波長分割多重装置すなわち対向ノードから分波部６を介して受信した波長多重信号（主信号）を増幅する回路である。また、監視光受信部７は、監視光信号を受信し、対向する波長分割多重装置すなわち対向ノードからのフラグと送信波長数情報とを少なくとも抽出する回路である。受信波長数カウント部８は、分波部６によって受信され、受信光アンプ５にて増幅された波長多重信号（主信号）の波長数（受信波長数）のカウントを行う回路である。波長数情報比較部９は、監視光受信部７が抽出した送信波長数情報と自ノード内の受信波長数カウント部８にて検出した受信波長数情報とを比較する回路である。
【００２３】
このように、対向する波長分割多重装置すなわち対向ノードからの信号は、分波部６によって受信され、分波部６によって分波された監視光信号は監視光受信部７に対して入力され、分波部６によって分波された波長多重信号（主信号）は受信光アンプ５に対して入力される。また、監視光受信部７にて監視光信号から抽出されたフラグの出力は、送信光アンプ１に入力され、監視光受信部７にて監視光信号から抽出された送信波長数情報の出力は、波長数情報比較部９に入力される。
【００２４】
波長数情報比較部９に入力された送信波長数情報は、そのまま、受信光アンプ５にも入力され、さらに、波長数情報比較部９から出力される波長数情報の比較結果を示すフラグの出力は、受信光アンプ５および送信側の監視光送信部３に入力される。
【００２５】
受信光アンプ５から出力される波長多重信号（主信号）は、受信波長数カウント部８に入力されるとともに、後段の主信号処理回路に向けて送出される。受信波長数カウント部８からの受信波長数情報の出力は、波長数情報比較部９に入力される。
【００２６】
（実施形態の動作の説明）
次に、本発明の一例を示す図１の波長分割多重装置（ＷＤＭ装置）１００の動作について、その一例を、図２を参照して説明する。
【００２７】
図２は、本発明による波長分割多重伝送システムにおける波長数カウントおよび波長数転送の仕組みを説明するための説明図である。図２は、図１に示す波長分割多重装置でそれぞれが構成されている第１ノード１０および第２ノード２０を、伝送路３１,３２によって接続してなる波長分割多重伝送システムのシステム構成を示している。
【００２８】
図２に示すように、図１の波長分割多重装置１００と同様、第１ノード１０は、送信側として、送信光アンプ１１、合波部１２、監視光送信部１３、送信波長数カウント部１４を少なくとも備え、受信側として、受信光アンプ１５、分波部１６、監視光受信部１７、受信波長数カウント部１８、波長数情報比較部１９を少なくとも備えている。
【００２９】
一方、第２ノード２０も、第１ノード１０の場合と同様、送信側として、送信光アンプ２１、合波部２２、監視光送信部２３、送信波長数カウント部２４を少なくとも備え、受信側として、受信光アンプ２５、分波部２６、監視光受信部２７、受信波長数カウント部２８、波長数情報比較部２９を少なくとも備えている。
【００３０】
第１ノード１０の合波部１２と第２ノード２０の分波部２６とは伝送路３１によって接続され、逆に、第２ノード２０の合波部２２と第１ノード１０の分波部１６とは伝送路３２によって接続されている。図２において、太線矢印は波長多重信号を示し、点線矢印は監視光信号を示し、二重線矢印は波長数情報を示し、破線矢印はフラグを示している。
【００３１】
図２において、第１ノード１０の送信波長数カウント部１４は、送信光アンプ１１から出力される波長多重信号（主信号）の波長数をカウントし、送信波長数情報として送信光アンプ１１と監視光送信部１３とに転送する。監視光送信部１３は、転送されてきた送信波長数情報を監視光信号に挿入して合波部１２へ出力する。合波部１２は、監視光送信部１３から入力されてきた監視光信号と送信光アンプ１１から入力されてきた波長多重信号（主信号）を合波して、監視光信号および主信号を合波してなる波長多重信号を伝送路３１を介して、第２ノード２０に向けて出力する。
【００３２】
第２ノード２０では、第１ノード１０からの波長多重信号（主信号＋監視光信号）を分波部２６で受信する。分波部２６は、受信した信号を監視光信号および主信号（波長多重信号）に分波して、監視光受信部２７および受信光アンプ２５にそれぞれ出力する。監視光受信部２７は、分波部２６からの監視光信号に含まれる第１ノード１０からの送信波長数情報を抽出して、波長数情報比較部２９に出力する。また、受信光アンプ２５は、分波部２６から波長多重信号（主信号）を入力し、波長数情報比較部２９からの送信波長数情報または当該受信光アンプ２５内の受信側メモリに保持している直近（最新）の送信波長数情報によって制御される出力レベルに応じて、その波長多重信号（主信号）を増幅し、出力する。ここで、受信光アンプ２５は、波長数情報比較部２９から出力されるフラグの状態如何に応じて、波長数情報比較部２９からの送信波長数情報または当該受信光アンプ２５内の受信側メモリに保持している直近（最新）の送信波長数情報の内の何れかを選択し、出力レベル等を制御する波長数情報として用いる。受信波長数カウント部２８は、受信光アンプ２５で増幅された波長多重信号（主信号）の波長数をカウントし、受信波長数情報として波長数情報比較部２９に出力する。
【００３３】
第２ノード２０の波長数情報比較部２９においては、対向ノードつまり第１ノード１０から受信した送信波長数情報（監視光受信部２７からの送信波長数情報）と自ノードの受信波長数カウント部２８で検出した受信波長数情報とを比較して、以下の処理を行う。
【００３４】
（１）＜送信波長数情報と受信波長数情報とが一致している場合＞
両者の波長数情報の比較結果として一致していることを示すフラグとして、波長数情報比較部２９から“ＯＫフラグ”を受信光アンプ２５と監視光送信部２３とに出力する。さらに、受信波長数情報と一致している送信波長数情報を受信光アンプ２５に出力する。
【００３５】
（２）＜送信波長数情報と受信波長数情報とが不一致の場合＞
両者の波長数情報の比較結果として不一致であることを示すフラグとして、波長数情報比較部２９から“ＮＧフラグ”を受信光アンプ２５と監視光送信部２３とに出力する。
【００３６】
第２ノード２０の波長数情報比較部２９から前述のようなフラグ（“ＯＫフラグ”または“ＮＧフラグ”）と送信波長数情報（送信波長数情報と受信波長数情報とが一致している場合の送信波長数情報）とを受け取った受信光アンプ２５においては、以下の処理を行う。
【００３７】
（ａ）＜波長数情報比較部２９から“ＯＫフラグ”を受け取った場合＞
波長数情報比較部２９からの送信波長数情報が正常であるものと判断して、当該送信波長数情報を受信光アンプ２５の出力レベル等の値の更新用の制御のために使用する。さらに、当該送信波長数情報を、受信波長数情報と一致する最新（直近）の送信波長数情報として、受信光アンプ２５内の受信側メモリの送信波長数情報に上書きすることにより更新して保存し直す。
【００３８】
（ｂ）＜波長数情報比較部２９から“ＮＧフラグ”を受け取った場合＞
対向ノードつまり第１ノード１０から受信した送信波長数情報または自ノードつまり第２ノード２０の受信波長数カウント部２８がカウントした受信波長数情報に異常があるものと判断して、当該送信波長数情報を用いることなく、送信波長数情報と受信波長数情報とが一致していた最新の時点の送信波長数情報として受信光アンプ２５内の受信側メモリに保存されている送信波長数情報を利用して、つまり、前値保持状態のままにして、受信光アンプ２５の出力レベル等の値の更新は行わない。さらに、受信光アンプ２５は、“ＮＧフラグ”を受け取った旨の警報、すなわち、自ノードつまり第２ノード２０側の受信波長数と対向ノードつまり第１ノード１０側の送信波長数とが不一致である旨を示す警報をユーザに対して発出する。
【００３９】
受信光アンプ２５から“ＮＧフラグ”の警報が発出された場合は、まずは、自ノードつまり第２ノード２０側の受信波長数カウント部２８または対向ノードつまり第１ノード１０側の送信波長数カウント部１４のいずれかの故障が想定されるため、ユーザは、第２ノード２０側の受信波長数カウント部２８または第１ノード１０側の送信波長数カウント部１４の交換等の保守を行う。
【００４０】
さらに、波長数情報比較部２９から“ＯＫフラグ”または“ＮＧフラグ”を受け取った監視光送信部２３は、受け取った“ＯＫフラグ”または“ＮＧフラグ”を監視光信号に挿入する。合波部２２は、監視光送信部２３から入力した監視光信号と、送信光アンプ２１から入力した波長多重信号（主信号）とを合波し、監視光信号および主信号でなる波長多重信号を、伝送路３２を介して、第１ノード１０に向けて送信する。
【００４１】
第１ノード１０では、第２ノード２０からの波長多重信号（主信号＋監視光信号）を分波部１６で受信する。分波部１６は、受信信号を監視光信号および波長多重信号（主信号）とに分波し、監視光受信部１７および受信光アンプ１５にそれぞれ出力する。
【００４２】
第１ノード１０の分波部１６で波長多重信号から分波された監視光信号は監視光受信部１７で受信される。監視光受信部１７は、受信した監視光信号に含まれる第２ノード２０からの送信波長数情報の他に第２ノード２０からの“ＯＫフラグ”または“ＮＧフラグ”を抽出して、抽出した送信波長数情報を波長数情報比較部１９に出力する一方、抽出した“ＯＫフラグ”または“ＮＧフラグ”を送信光アンプ１１に転送する。
【００４３】
監視光受信部１７から“ＯＫフラグ”または“ＮＧフラグ”を受け取った送信光アンプ１１においては、以下の処理を行う。
（ａ）＜監視光受信部１７から“ＯＫフラグ”を受け取った場合＞
送信波長数カウント部１４からの送信波長数情報は正常であるものと判断して、当該送信波長数情報を送信光アンプ１１の出力レベル等の値の更新用の制御のために使用する。さらに、当該送信波長数情報を、対向ノードつまり第２ノード２０側の受信波長数情報と一致する最新（直近）の送信波長数情報として、送信光アンプ１１内の送信側メモリの送信波長数情報に上書きすることにより更新して保存し直す。
【００４４】
（ｂ）＜監視光受信部１７から“ＮＧフラグ”を受け取った場合＞
送信波長数カウント部１４からの送信波長数情報または対向ノードつまり第２ノード２０の受信波長数情報は異常であるものと判断して、当該送信波長数カウント部１４からの送信波長数情報を用いることなく、対向ノードつまり第２ノード２０から“ＯＫフラグ”を最新（直近）に受信した時点の送信波長数情報として送信光アンプ１１内の送信側メモリに保存されている送信波長数情報を利用して、つまり、前値保持状態のままにして、送信光アンプ１１の出力レベル等の値の更新は行わない。さらに、送信光アンプ１１は、“ＮＧフラグ”を受け取った旨の警報、すなわち、自ノードつまり第１ノード１０側の送信波長数と対向ノードつまり第２ノード２０側の受信波長数とが不一致である旨を示す警報をユーザに対して発出する。
【００４５】
送信光アンプ１１から“ＮＧフラグ”の警報が発出された場合は、まずは、自ノードつまり第１ノード１０側の送信波長数カウント部１４または対向ノードつまり第２ノード２０側の受信波長数カウント部２８のいずれかの故障が想定されるため、ユーザは、第１ノード１０側の送信波長数カウント部１４または第２ノード２０側の受信波長数カウント部２８の交換等の保守を行う。
【００４６】
以上の説明は、第１ノード１０から第２ノード２０への送信波長数の転送、第２ノード２０から第１ノード１０へのフラグ（“ＯＫフラグ”または“ＮＧフラグ”）のフィードバック転送の例に説明したが、逆方向の場合、つまり、第２ノード２０から第１ノード１０への送信波長数の転送、第１ノード１０から第２ノード２０へのフラグ（“ＯＫフラグ”または“ＮＧフラグ”）のフィードバック転送の場合も全く同様の動作となる。
【００４７】
以上に詳細に説明したように、本発明の一例を示す図１の波長分割多重装置においては、上流側に配置される波長分割多重装置つまり上流ノード内の送信波長数カウント部４のみならず、下流側に配置される波長分割多重装置つまり下流ノードにも、波長数検出機能として受信波長数カウント部８を設け、上流ノードから下流ノードに送られてくる送信波長数情報と、下流ノード自身で受信波長数カウント部８により検出した受信波長数情報とを、波長数情報比較部９において比較するように構成されている。
【００４８】
波長数情報比較部９における比較結果として一致していたときのみ、一致している送信波長数情報または受信波長数情報として検出された新たな波長数に基づき、受信光アンプ５の出力等の制御を行う。一方、波長数情報比較部９における比較結果として不一致であった場合には、下流ノード自体において、不一致を示す“ＮＧフラグ”による警報を受信光アンプ５に通知するのみならず、上流ノードに対しても、“ＮＧフラグ”を、監視光送信部３から合波部２を介して波長数不一致警報として通知する。このように、波長数情報比較部９における比較により検出した波長数の不一致を、下流ノードの受信光アンプ５および上流ノードの送信光アンプ１に“ＮＧフラグ”により通知することにより、下流ノードおよび上流ノードのいずれにおいても、現在の波長多重信号に含まれている新たな波長数ではなく、下流ノードの波長数情報比較部９における比較において波長数が一致していた時点のうち最新（直近）の時点の波長数に基づき、下流ノードの受信光アンプ５および上流ノードの送信光アンプ１の出力等の制御を行い、送信波長数カウント４により誤って検出された波長数情報に基づき下流ノードの受信光アンプ５および上流ノードの送信光アンプ１の出力等が誤制御されるのを予防している。
【００４９】
ここで、一般には、上流ノード側の送信波長数カウント部４の故障を上流ノード自体で検出することができる場合と上流ノード自体では検出することができない場合とがある。したがって、本実施形態においては、前述のように、上流ノードからの波長多重信号を受信する下流ノード側においても、受信した波長多重信号の波長数のカウントを行って、上流ノードから通知されてくる送信波長数情報が正しいか否かを確認している。
【００５０】
つまり、図２を参照して前述したように、下流側に配置されている第２ノード２０において、波長数情報比較部２９による波長数比較において、上流側の第１ノード１０から通知されてきた送信波長数情報と、第２ノード２０にて受信した波長多重信号（主信号）の波長数を受信波長数カウント部２８でカウントして得た受信波長数情報とがー致している場合には、その旨を示す“ＯＫフラグ”と、受信波長数情報と一致している送信波長数情報とを、受信光アンプ２５に対して出力する。受信光アンプ２５は、受け取った送信波長数情報を、最新の送信波長数情報として、受信側メモリに更新保存するとともに、該送信波長数情報に基づいて、受信した波長多重信号の出力レベル等の制御を行う。
【００５１】
さらに、波長数情報比較部２９は、“ＯＫフラグ”を監視光送信部２３にも出力しており、波長数情報比較部２９からの“ＯＫフラグ”を受け取った監視光送信部２３から、合波部２２を経由して、上流側の第１ノード１０に対しても、“ＯＫフラグ”が監視光信号に含む形で返送される。下流側の第２ノード２０から“ＯＫフラグ”を受信した上流側の第１ノード１０においては、送信光アンプ１１は、自ノードの送信波長数カウント部１４からの送信波長数情報が正しいものと判断して、最新の送信波長数情報として、該送信波長数情報を送信側メモリに更新保存し、該送信波長数情報に基づいて、送信する波長多重信号の出力レベル等の制御を行う。
【００５２】
一方、波長数情報比較部２９による波長数比較において、上流側の第１ノード１０から通知されてきた送信波長数情報と、第２ノード２０にて受信した波長多重信号（主信号）の波長数を受信波長数カウント部２８にてカウントして得た受信波長数情報とが不一致であった場合には、“ＮＧフラグ”を受信光アンプ２５に対して出力し、受信光アンプ２５における受信側メモリの更新を禁止する。この結果、受信光アンプ２５では、“ＮＧフラグ”の対象になった送信波長数情報ではなく、波長数情報比較部２９からの“ＯＫフラグ”を受信していた最新の時点の送信波長数情報として受信側メモリに前値保持されていた送信波長数に基づいた制御が行われることになる。
【００５３】
さらに、波長数情報比較部２９は、“ＮＧフラグ”を監視光送信部２３にも出力しており、波長数情報比較部２９からの“ＮＧフラグ”を受け取った監視光送信部２３から、合波部２２を経由して、上流側の第１ノード１０に対しても、“ＮＧフラグ”が監視光信号に含まれる形で返送される。下流側の第２ノード２０から“ＮＧフラグ”を受信した上流側の第１ノード１０においては、送信光アンプ１１は、自ノードの送信波長数カウント部１４からの送信波長数に誤りがある可能性があるものとして、送信光アンプ１１における送信側メモリの更新を禁止する。この結果、送信光アンプ１１では、“ＮＧフラグ”の対象になった送信波長数情報ではなく、下流側の第２ノード２０から“ＯＫフラグ”を返送されていた最新の時点の送信波長数情報として送信側メモリに前値保持されていた送信波長数に基づいた制御が行われることになる。
【００５４】
なお、上述のように、図２を参照して説明した波長分割多重伝送システムでは、下流側の第２ノード２０において、波長数情報比較部２９による波長数比較において、上流側の第１ノード１０から通知されてきた送信波長数情報と、第２ノード２０にて受信した波長多重信号から受信波長数カウント部２８にてカウントした受信波長数情報とがー致している場合には、波長数情報比較部２９は、両波長数情報が一致していることを示す“ＯＫフラグ”を監視光送信部２３にも出力し、監視光送信部２３から、合波部２２を経由して、上流側の第１ノード１０に対して、“ＯＫフラグ”を監視光信号に含まれる形で返送した。しかしながら、波長数情報比較部２９による比較において送信波長数情報と受信波長数情報とがー致している場合には、下流側の第２ノード２０から上流側の第１ノード１０へ“ＯＫフラグ”を送ることは必ずしも必須ではない。送信波長数情報と受信波長数情報とがー致している場合、上流側の第１ノード１０が“ＯＫフラグ”を受信しなくても、送信光アンプ１１は、自ノードの送信波長数カウント部１４から供給される送信波長数情報を正しいものとして判断し、最新の送信波長数情報として、該送信波長数情報を送信側メモリに更新保存し、該送信波長数情報に基づいて、送信する波長多重信号の出力レベル等の制御を行えばよい。このように、波長数情報比較部２９における比較において送信波長数情報と受信波長数情報とがー致している場合には、下流側の第２ノード２０から上流側の第１ノード１０へ“ＯＫフラグ”を送らない方式としたとき、波長数情報比較部２９における比較において送信波長数情報と受信波長数情報とが不一致である場合には、前述のとおり、下流側の第２ノード２０から上流側の第１ノード１０へ“ＮＧフラグ”を送り、第１ノード１０の送信光アンプ１１は、自ノードの送信波長数カウント部１４からの送信波長数情報に誤りがある可能性があるものとして、送信光アンプ１１における送信側メモリの更新を禁止し、送信光アンプ１１では、“ＮＧフラグ”の対象になった送信波長数情報ではなく、下流側の第２ノード２０から“ＮＧフラグ”が返送される直前の最新の時点の送信波長数情報として送信側メモリに前値保持されていた送信波長数に基づいて出力レベル等の制御を行う。
【００５５】
また、上述のように、図２を参照して説明した波長分割多重伝送システムにおける下流の第２ノード２０では、上流の第１ノード１０から送信されてくる波長数情報（送信波長数情報）と、下流の第２ノード２０自身で受信波長多重信号から検出した波長数情報（受信波長数情報）とを、第２ノード２０で比較することができる。このような第２ノード２０では、第２ノード２０における波長数比較により波長数の不一致が検出され、波長数情報比較部２９から“ＮＧフラグ”が出力されるとき、その“ＮＧフラグ”を、自ノードの受信光アンプ２５だけに供給し、上流の第１ノード１０へは供給しない方式を採用しても、第２ノード２０における受信光アンプ２５の出力等を“ＮＧフラグ”が供給される直近（最新）の波長数、つまり直前の波長数情報に基づいて制御することにより、少なくとも自ノードの受信光アンプ２５の誤制御は防止できる。また、第２ノード２０で受信した波長多重信号に多重されている監視光信号から抽出した送信波長数と、第２ノード２０でその波長多重信号の受信波長数をカウントして得た受信波長数とが不一致である旨を示す警報をユーザに対して発出することができる。
【００５６】
また、上述のように、図２を参照して説明した波長分割多重伝送システムにおける上流の第１ノード１０では、下流の第２ノード２０から送信されてくる波長多重信号を分波部１６で受信し、波長多重信号を主信号と監視光信号とに分波し、その監視光信号を監視光受信部１７で受信し、その監視光信号に含まれる“ＮＧフラグ”を監視光受信部１７で抽出し、“ＮＧフラグ”を送信光アンプ１１に供給している。このとき、“ＮＧフラグ”を受けた送信光アンプ１１は、自ノードの送信波長数カウント部１４からの送信波長数に誤りがある可能性があるものとして、送信光アンプ１１における送信側メモリの更新を禁止し、送信波長数カウント部１４から送られた送信波長数情報（“ＮＧフラグ”の対象になった送信波長数情報）ではなく、下流側の第２ノード２０から“ＮＧフラグ”を返送された時より前の最新の時点の送信波長数情報として送信側メモリに前値保持されていた送信波長数に基づいて送信出力を制御する。送信光アンプ１１におけるこのような出力制御は、自ノード１０における波長数情報比較部１９の比較結果が一致か不一致かに拘わらず、下流側ノードから“ＮＧフラグ”を受けたときに行うことができる。
【００５７】
（実施形態の効果の説明）
以上に詳細に説明したように、前述の実施形態によれば、次のような効果が得られる。つまり、前述の実施形態においては、対向する２つの波長分割多重装置において、上流側に位置する対向装置つまり上流ノード１０，２０における送信波長多重信号の送信波長数のカウントを行う送信波長数カウント部１４，２４のみならず、下流側に位置する対向装置つまり下流ノード２０，１０にも受信波長多重信号の受信波長数をカウントする受信波長数カウント部２８，１８を備えることにより、上流ノードでの送信波長数情報と下流ノードでの受信波長数情報とを比較して、一致しているか否かの確認を行う。両者が不一致となった場合には、波長数のカウント動作が異常である旨の警報を発出することにより、送信波長数カウント部１４，２４や受信波長数カウント部２８，１８の故障を容易に検出することが可能となる。さらに、比較結果として不一致となった場合は、“ＮＧフラグ”を送信光アンプ１１，２１や受信光アンプ２５，１５に転送することによって、異常な波長数情報の取り込みを禁止し、送信光アンプ１１，２１や受信光アンプ２５，１５の誤制御を防止することも可能である。
【００５８】
（その他の実施形態）
次に、本発明の実施形態として、前述した実施形態とは異なる実施形態についてさらに説明する。
【００５９】
前述した実施形態においては、波長分割多重装置１００として、送信する波長多重信号の送信波長数をカウントする送信波長数カウント部４以外に、受信した波長多重信号の受信波長数をカウントする受信波長数カウント部８と、受信波長数と送信波長数とを比較する波長数情報比較部９とを新たに備えることにより、対向配置する２台の波長分割多重装置つまり第１ノード１０の送信波長数または第２ノード２０の受信波長数のいずれかのカウント結果が異常であるものとする場合を示した。しかし、本実施形態においては、さらに、波長分割多重装置１００として、他の方路に接続されている他の波長分割多重装置つまり対向装置が存在している場合には、該他の方路の対向装置との間で送受信されている波長多重信号の波長数情報も利用して、第１ノード１０の送信波長数、第２ノード２０の受信波長数のいずれのカウント結果が異常であるのかを切り分ける場合を示している。
【００６０】
すなわち、例えば、第２ノード２０に対して送信波長多重信号の送信波長数を送信した第１ノード１０の場合、波長多重信号の送信先の対向装置つまり第２ノード２０から“ＮＧフラグ”を受信した際に、第１ノード１０から他の方路に対して波長多重信号を送信した際に、該他の方路の送信先の対向装置からも“ＮＧフラグ”を受信したか否かに基づいて、自装置つまり第１ノード１０側の送信波長数と対向装置つまり第２ノード２０側の受信波長数とのいずれが異常であるかを、以下のようにして、切り分けることが可能である。
【００６１】
他の方路に対して波長多重信号を送信した送信先の対向装置からも“ＮＧフラグ”を受信した場合、自装置つまり第１ノード１０側で検出した送信波長数に異常があるものと判定することができ、先に受信していた“ＮＧフラグ”の送信元の対向装置つまり第２ノード２０に対して、当該対向装置つまり第２ノード２０側にてカウントした受信波長数には異常がない旨を通知する。さらに、自装置つまり第１ノード１０側で検出した送信波長数に異常がある旨を示す警報をユーザに対して発出する。
【００６２】
一方、他の方路に対して波長多重信号を送信した送信先の対向装置からは“ＮＧフラグ”を受信しなかった場合は、先に受信していた“ＮＧフラグ”の送信元の対向装置つまり第２ノード２０側でカウントした受信波長数に異常があるものと判定することができ、当該対向装置つまり第２ノード２０に対して、当該対向装置つまり第２ノード２０側にてカウントした受信波長数に異常がある旨を通知する。
【００６３】
また、第１ノード１０からの波長多重信号を受信して受信波長数を受信波長数カウント部２８によりカウントする第２ノード２０の場合、波長数情報比較部２９における比較結果として、波長多重信号の送信元の対向装置つまり第１ノード１０からの送信波長数と自装置つまり第２ノード２０の受信波長数カウント部２８によりカウントした受信波長数とが不一致であった場合、他の方路の対向装置から受信した波長多重信号の波長数として該他の方路の対向装置から通知されてくる波長数と、受信した該波長多重信号の波長数を自装置つまり第２ノード２０の受信波長数カウント部２８によるカウント結果と、を比較することにより、不一致となった自装置つまり第２ノード２０側の受信波長数と対向装置つまり第１ノード１０側の送信波長数とのいずれに異常があるかを、以下のようにして、切り分けることが可能である。
【００６４】
他の方路の対向装置から受信した波長多重信号の波長数として該他の方路の対向装置から通知されてくる波長数と、受信した該波長多重信号の波長数の自装置つまり第２ノード２０の受信波長数カウント部２８によるカウント結果と、を比較した結果、両者が不一致であった場合、自装置つまり第２ノード２０の受信波長数カウント部２８によるカウント結果（受信波長数）に異常があるものと判定することができ、先に受信していた波長多重信号の送信元の対向装置つまり第１ノード１０に、送信波長数と受信波長数とが不一致である旨を示す“ＮＧフラグ”を返送しない、あるいは、“ＮＧフラグ”を既に返送している場合には、当該対向装置つまり第１ノード１０からの送信波長数は正常である旨を示す“ＯＫフラグ”さらに通知する。さらに、自装置つまり第２ノード２０の受信波長数カウント部２８にてカウントした受信波長数に異常がある旨を警報としてユーザに発出する。
【００６５】
一方、他の方路の対向装置から受信した波長多重信号の波長数として該他の方路の対向装置から通知されてくる波長数と、受信した該波長多重信号の波長数の自装置つまり第２ノード２０の受信波長数カウント部２８によるカウント結果と、を比較した結果、両者が一致している場合、先に受信していた波長多重信号の送信元の対向装置つまり第１ノード１０からの送信波長数に異常があるものと判定することができ、先に受信していた波長多重信号の送信元の対向装置つまり第１ノード１０に、当該対向装置つまり第１ノード１０からの送信波長数に異常がある旨を通知する。
【００６６】
さらに異なる実施形態として、対向配置する２台の波長分割多重装置つまり第１ノード１０、第２ノード２０のうち、下流側の対向装置つまり第２ノード２０側のみに波長数情報比較部２９を配置するだけではなく、上流側の対向装置つまり上流ノード１０側にも上流用波長数情報比較部を配置し、下流側の対向装置つまり第２ノード２０から上流側の対向装置つまり上流ノード１０側へフィードバックする情報として、波長数情報比較部２９の比較結果を示すフラグ（“ＯＫフラグ”または“ＮＧフラグ”）のみならず、下流側の対向装置つまり第２ノード２０の受信波長数カウント２８にてカウントした受信波長数情報を含めて返送するようにしても良い。
【００６７】
かかる構成においては、上流側の対向装置つまり上流ノード１０側にて、送信波長数カウント部１４にてカウントした送信波長数情報と下流側の対向装置つまり第２ノード２０側から返送されてきた受信波長数情報とを上流用波長数情報比較部においても比較することにより、下流側の対向装置つまり第２ノード２０から返送されてくる“ＯＫフラグ”、“ＮＧフラグ”に関する正常性を確認することが可能であり、波長数情報を比較する波長数情報比較部１９、波長数情報比較部２９の比較手段自体の異常の有無も判定することができる。
【００６８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）、（５）、（１１）、（１２）及び（１６）に加え、次のような構成として表現できる。下記（２）−（４）、（６）−（１０）、（１３）−（１５）及び（１７）−（２０）なる番号は、請求項の項番号にそれぞれ対応している。
（２）前記波長数情報比較手段における比較結果が不一致であった場合、
前記送信波長数と前記受信波長数が一致した最新の波長数に基づいて、前記受信した波長多重信号の出力レベルを制御する上記（１）の波長分割多重装置。
（３）前記波長数情報比較手段における比較結果が不一致であった場合、
前記波長多重信号の送信元の装置へ、前記送信波長数と前記受信波長数とが不一致である旨を示すフラグを送信する上記（１）又は（２）の波長分割多重装置。
（４）前記波長数情報比較手段における比較結果が不一致であった場合、
送信元の前記対向装置側の前記送信波長数と自装置側の前記受信波長数とが不一致である旨を示す警報をユーザに対して発出する上記（２）ないし（４）のいずれかの波長分割多重装置。
（６）前記監視光受信手段が前記フラグを抽出した際、自装置が送信した送信波長数と受信装置が受信した受信波長数が不一致である旨を示す警報をユーザに対して発出する上記（５）の波長分割多重装置。
（７）前記監視光受信手段は、受信した波長多重信号に多重されている監視光から、自装置が送信した送信波長数と受信装置が受信した受信波長数が不一致であることを示すフラグを抽出し、
前記監視光受信手段が前記フラグを抽出した際、前記フラグを抽出する直前の送信波長数に基づいて、送信する波長多重信号の出力レベルを制御する上記（３）又は（４）の波長分割多重装置。
（８）前記監視光受信手段が前記フラグを抽出した際、自装置が送信した送信波長数と受信装置が受信した受信波長数が不一致である旨を示す警報をユーザに対して発出する上記（７）の波長分割多重装置。
（９）前記波長多重信号の送信先である第１の前記対向装置から前記ＮＧフラグを受信した際に、他の方路に対して波長多重信号を送信した送信先である第２の対向装置からも前記ＮＧフラグを受信したか否かに基づいて、自装置側の前記送信波長数又は前記第１の対向装置側の前記受信波長数のいずれが異常であるかを判定する上記（７）または（８）のいずれかの波長分割多重装置。
（１０）前記波長数情報比較手段における比較結果として、前記波長多重信号の送信元の前記対向装置からの前記送信波長数と前記受信波長数とが一致している場合、前記送信波長数を最新の送信波長数として受信側メモリに更新して保存するとともに、当該送信波長数に基づいて受信した前記波長多重信号の出力レベルを制御する上記（１）ないし（９）の波長分割多重装置。
（１３）前記比較の結果、前記受信波長数と前記送信波長数とが不一致であった場合、
前記送信波長数と前記受信波長数が一致した最新の波長数に基づいて、前記受信した波長多重信号の出力レベルを制御する上記（１２）の波長多重信号制御方法。
（１４）前記比較の結果、前記受信波長数と前記送信波長数とが不一致であった場合、
前記波長多重信号の送信元の装置へ、前記送信波長数と前記受信波長数とが不一致である旨を示すフラグを送信する上記（１２）又は（１３）の波長多重信号制御方法。
（１５）前記比較の結果、前記受信波長数と前記送信波長数とが不一致であった場合、
送信元の前記対向装置側の前記送信波長数と自装置側の前記受信波長数とが不一致である旨を示す警報をユーザに対して発出する上記（１３）ないし（１５）のいずれかの波長多重信号制御方法。
（１７）前記フラグを抽出した際、自装置が送信した送信波長数と受信装置が受信した受信波長数が不一致である旨を示す警報をユーザに対して発出する上記（１６）の波長多重信号制御方法。
（１８）受信した波長多重信号に多重されている監視光から、自装置が送信した送信波長数と受信装置が受信した受信波長数が不一致であることを示すフラグを抽出し、
前記フラグを抽出した際、前記フラグを抽出する直前の送信波長数に基づいて、送信する波長多重信号の出力レベルを制御する上記（１４）又は（１５）の波長多重信号制御方法。
（１９）前記フラグを抽出した際、自装置が送信した送信波長数と受信装置が受信した受信波長数が不一致である旨を示す警報をユーザに対して発出する上記（１８）の波長多重信号制御方法。
（２０）前記波長多重信号の送信先である第１の前記対向装置から前記ＮＧフラグを受信した際に、他の方路に対して波長多重信号を送信した送信先である第２の対向装置からも前記ＮＧフラグを受信したか否かに基づいて、自装置側の前記送信波長数又は前記第１の対向装置側の前記受信波長数のいずれが異常であるかを判定する上記（１８）または（１９）のいずれかの波長多重信号制御方法。
【符号の説明】
【００６９】
１００    波長分割多重装置
１        送信光アンプ
２        合波部
３        監視光送信部
４        送信波長数カウント部
５        受信光アンプ
６        分波部
７        監視光受信部
８        受信波長数カウント部
９        波長数情報比較部
１０      第１ノード
１０Ａ    上流ノード
１１      送信光アンプ
１２      合波部
１３      監視光送信部
１４      波長数カウント部（送信波長数カウント部）
１５      受信光アンプ
１６      分波部
１７      監視光受信部
１８      受信波長数カウント部
１９      波長数情報比較部
２０      第２ノード
２０Ａ    下流ノード
２１      送信光アンプ
２２      合波部
２３      監視光送信部
２４      送信波長数カウント部
２５      受信光アンプ
２６      分波部
２７      監視光受信部
２８      受信波長数カウント部
２９      波長数情報比較部
３０      伝送路
３１      伝送路
３２      伝送路
【図１】
2010220149.tif 000003
【図２】
2010220149.tif 000004
【図３】
2010220149.tif 000005